(57)【要約】【課題】遊技盤面に配設され、所定条件が成立すると遊技者に不利な閉鎖状態から遊技者に有利な開放状態に変換可能な可変入賞口を複数備えた弾球遊技機の入賞装置において、大入賞口が開放状態のときに小入賞口が開放状態となっても遊技球が小入賞口に入賞することができ、また、小入賞口の入賞率を調整可能とし、さらに遊技盤のスペースを一層節約することができる弾球遊技機の入賞装置を提供すること。【解決手段】取付基板３５に特別図柄表示装置２３に表示された特別図柄が予め定められた大当り図柄となると開放状態となる大入賞口３０と、普通図柄表示装置２４に表示された普通図柄が予め定められた当り図柄となると開放状態となる小入賞口２９と、特別図柄を始動させる特別図柄始動入賞口２７とを並設するようにした。【選択図】　図３
2004041738.tif 000002
【特許請求の範囲】
【請求項１】
遊技球の挙動により作動条件が成立すると図柄を変動表示した後に当りまたは外れを示す当否図柄を表示する第１と第２の図柄表示装置と、
所定条件が成立すると遊技者に不利な閉鎖状態から遊技者に有利な開放状態に変換可能な可変入賞口を複数設けた弾球遊技機において、
前記第１の図柄表示装置に表示される図柄が予め定められた当り図柄となると開閉部材が遊技者に不利な閉鎖状態から遊技者に有利な開放状態に変換可能な大入賞口と、
該大入賞口の上方に、前記第２の図柄表示装置に表示される図柄が予め定められた当り図柄となると開閉部材が遊技者に不利な閉鎖状態から遊技者に有利な開放状態に変換可能な前記大入賞口より狭い小入賞口と、
該小入賞口の上方に、遊技球が入球することにより前記第１の図柄表示装置の図柄を始動させる始動口とを、同一の入賞装置ユニットに設け、
前記小入賞口及び前記大入賞口の開閉部材は、支軸を中心として前回りに傾動又は後回りに回動することにより、開閉状態を可変することを特徴とする弾球遊技機の入賞装置。
【請求項２】
請求項１記載の弾球遊技機の入賞装置において、
前記始動口の所定部分は、前記小入賞口内に突出して配置され、
前記小入賞口の開閉部材には、前記始動口の突出した所定部分に対応する凹部を設けたことを特徴とする弾球遊技機の入賞装置。
【発明の詳細な説明】
【０００１】
【発明の属する技術分野】
本発明は、遊技盤面に配設され、所定条件が成立すると遊技者に不利な閉鎖状態から遊技者に有利な開放状態に変換可能な可変入賞口を複数備える弾球遊技機の入賞装置に関するものである。
【０００２】
【従来の技術】
周知のように、遊技盤の略中央部に配設される第１の図柄表示装置（以下、特別図柄表示装置と称する）に表示された図柄（以下、特別図柄と称する）が予め定められた「大当り図柄」となると、遊技者に不利な閉鎖状態から遊技者に有利な開放状態に変換可能な大入賞口と、遊技盤に配設される第２の図柄表示装置（以下、普通図柄表示装置と称する）に表示された図柄（以下、普通図柄と称する）が予め定められた「当り図柄」となると遊技者に不利な閉鎖状態から遊技者に有利な開放状態に変換可能な小入賞口とを一体に形成することにより、遊技盤のスペースを節約することができると共に入賞態様に変化を持たせるようにした入賞装置は従来から種々開発されている。例えば、特許第２７２９９１２号公報では、特別入賞領域を形成した大入賞口の下方に、左右一対のガイドリブによって有効領域が形成された小入賞口を並設した入賞装置が提案されている。
【０００３】
【発明が解決しようとする課題】
しかしながら、上記特許第２７２９９１２号公報による入賞装置は、特別図柄表示装置に「大当り図柄」が表示されて大当り状態となり、大入賞口が遊技者に不利な閉鎖状態から遊技者に有利な開放状態に変換したときには、大入賞口の上方から流下してきた遊技球の大部分は大入賞口に入賞してしまい、大入賞口よりも下方には遊技球が流下しない。したがって、大入賞口の下方に設けられる小入賞口が遊技者に不利な閉鎖状態から遊技者に有利な開放状態に変換したとしても遊技球が入賞することがない。要するに、大入賞口が開放状態のときには小入賞口が開放状態であっても遊技球が入賞することはない。したがって、小入賞口が開放状態であるにもかかわらず遊技球が入賞することがないため、遊技者は賞球を獲得するチャンスであるのに賞球を獲得することができないという不利益を被ることとなっている。
【０００４】
また、小入賞口は、特別図柄表示装置の特別図柄を始動させる始動口となっているため入賞率の調整が必要であるが、小入賞口の上方には大入賞口が設けられており、また、入賞装置はプラスチック樹脂で形成されているので入賞率の調整をする障害釘などの誘導部材を突設することができない。したがって、入賞率を調整することができないという課題もある。
さらに、近年、特別図柄表示装置の演出内容を多様化させ、その演出内容も細かく表示できるように、大型の特別図柄表示装置が採用されてきており、より一層遊技盤のスペースの節約が必要不可欠となってきている。
【０００５】
そこで、本発明は上記のような事情に鑑みてなされたもので、その目的は、大入賞口が開放状態のときに小入賞口が開放状態となっても、遊技球が小入賞口に入賞することができ、また、小入賞口の入賞率を調整可能とし、さらに、遊技盤のスペースをより一層節約することができる弾球遊技機の入賞装置を提供することにある。
【０００６】
【課題を解決するための手段】
本発明は、上記課題に鑑み提案されたもので請求項１記載の弾球遊技機の入賞装置は、遊技球の挙動により作動条件が成立すると図柄を変動表示した後に当りまたは外れを示す当否図柄を表示する第１と第２の図柄表示装置と、所定条件が成立すると遊技者に不利な閉鎖状態から遊技者に有利な開放状態に変換可能な可変入賞口を複数設けた弾球遊技機において、前記第１の図柄表示装置に表示される図柄が予め定められた当り図柄となると開閉部材が遊技者に不利な閉鎖状態から遊技者に有利な開放状態に変換可能な大入賞口と、該大入賞口の上方に、前記第２の図柄表示装置に表示される図柄が予め定められた当り図柄となると開閉部材が遊技者に不利な閉鎖状態から遊技者に有利な開放状態に変換可能な前記大入賞口より狭い小入賞口と、該小入賞口の上方に、遊技球が入球することにより前記第１の図柄表示装置の図柄を始動させる始動口とを、同一の入賞装置ユニットに設け、前記小入賞口及び前記大入賞口の開閉部材は、支軸を中心として前回りに傾動又は後回りに回動することにより、開閉状態を可変することを特徴とするものである。
【０００７】
加えて、請求項２記載の弾球遊技機の入賞装置は、請求項１記載の弾球遊技機の入賞装置において、前記始動口の所定部分は、前記小入賞口内に突出して配置され、前記小入賞口の開閉部材には、前記始動口の突出した所定部分に対応する凹部を設けたことを特徴とするものである。
【０００８】
【発明の実施の形態】
次に、好適な実施例により発明の実施の形態をより具体的に説明する。なお、本発明の実施の形態は、下記の実施例に何ら限定されるものではなく、本発明の技術的範囲に属する限り種々の形態を採り得ることはいうまでもない。
【０００９】
【実施例】
図１は弾球遊技機の代表例であるパチンコ機１０の正面斜視図である。このパチンコ機１０は、遊技店の遊技機設置島に設置固定するための外枠１１にヒンジ機構１２、１２を上下に設け、額縁状に形成された内枠１３を開閉可能に軸着している。内枠１３には、開口部を塞ぐように遊技盤１４が装着されており、内枠１３の前面側からは遊技盤１４の遊技領域を透視するためのガラスを装備した金枠１５が開閉可能に螺着されている。
【００１０】
遊技盤１４の下方には、遊技球を整列流下させながら発射装置（図示は省略）に誘導するための上皿１６が配設されている。この上皿１６は払出された賞品球が流出する流出口１６ａおよび上皿１６に貯留された遊技球を排出するための上皿球抜きレバー１６ｂを有している。
【００１１】
上皿１６の下方には、下皿１７が配設されている。この下皿１７は、上皿１６が遊技球で満杯となり、上皿１６に賞品球が払出せなくなったときに、賞品球は上皿１６の裏面に設けられているオーバーフロー通路（図示は省略）を流下して下皿１７に設けられる流出口１７ａから流出し、下皿１７に貯留される。また、下皿１７は貯留した遊技球を球箱などに排出するための下皿球抜きレバー１７ｂを有すると共に、右端部には、発射レバー１８を有した発射ハンドル１９が装着されている。そして、この発射レバー１８を遊技者が回転操作することで遊技球を遊技盤１４の任意の位置に発射することができる。
【００１２】
次に、図２にしたがって、遊技盤１４の構成について説明する。図２は遊技盤１４の正面図である。図に示すように、遊技盤１４は周囲をガイドレール２０により円形状に外囲され、このガイドレール２０で囲まれた領域が遊技領域２１となる。遊技領域２１の中央部には、図柄表示装置ユニット２２が装着されている。この図柄表示装置ユニット２２は、中央部に特別図柄の表示態様を変化させた後に確定表示させる液晶式の特別図柄表示装置２３を装着し、その上部には普通図柄の表示態様を変化させた後に確定表示させる７セグメントＬＥＤ式の普通図柄表示装置２４が装着されている。また、図柄表示装置ユニット２２の左右両側には、普通図柄表示装置２４の普通図柄の変動を開始する始動口となる普通図柄始動ゲート２５が設けられている。この普通図柄始動ゲート２５を通過した遊技球は、図柄表示装置ユニット２２内に設けられるワープ通路（図示せず）を通って図柄表示装置ユニット２２の下部に設けられる開口部２６より再び遊技領域２１に排出される。
【００１３】
図柄表示装置ユニット２２の下方には、遊技球が入賞することにより特別図柄表示装置２３の特別図柄を変動させる始動口となる特別図柄始動入賞口２７、遊技領域２１を流下する遊技球の流入が困難で遊技者に不利な閉鎖状態と遊技球の流入が容易で遊技者に有利な開放状態に変換可能な小入賞口２８を形成する第１の可変入賞装置２９、および遊技者に不利な閉鎖状態と遊技者に有利な開放状態とに変換可能な大入賞口３０を形成する第２の可変入賞装置３１を配設する。そして、これらを上部より特別図柄始動入賞口２７、第１の可変入賞装置２９、第２の可変入賞装置３１の順に並設することにより入賞装置ユニット３２を構成する。また、入賞装置ユニット３２の左右には一般入賞口３３、３３を設け、入賞装置ユニット３２の下方、遊技領域２１の最下部にはアウト口３４を設ける。
【００１４】
上記図柄表示装置ユニット２２における特別図柄表示装置２３は、複数の図柄を可変表示可能であれば、どのような構成のものであってもよい。例えば、周面に複数の図柄を描いた円筒体を駆動源の駆動により回転させる回転ドラム式の表示装置、多数の発光ダイオード等からなるマトリクス表示器、液晶表示機器等により構成し、例えば３桁の図柄表示部を設ける。そして、各図柄表示部における可変表示を、前記した特別図柄始動入賞口２７に遊技球が入賞することに基づいて開始させ、所定時間経過後に各図柄表示部が停止表示する図柄の組み合わせが予め定められた「大当り図柄」となったときに、第２の可変入賞装置３１（大入賞口３０）を遊技者に有利な開放状態に変換させるのである。
【００１５】
また、図柄表示装置２２の上部には、第１の可変入賞装置２９（小入賞口２８）のための普通図柄表示装置２４が設けてある。この普通図柄表示装置２４は例えば１桁の７セグメントＬＥＤからなるデジタル表示器で構成してある。そして、図柄の可変表示を、前記した普通図柄始動ゲート２５を遊技球が通過することに基づいて開始させ、所定時間経過後に停止した図柄が予め定められた「当り図柄」となったときに、第１の可変入賞装置２９（小入賞口２８）を遊技者に有利な開放状態に変換させるのである。
【００１６】
次に、遊技者に不利な閉鎖状態と遊技者に有利な開放状態とに変換可能な第１の可変入賞装置２９および第２の可変入賞装置３１を有する入賞装置ユニット３２の構造について、図３〜図６にしたがって説明をする。図３は入賞装置ユニット３２の正面斜視図であり、図４は同正面図、図５は同裏面図、図６は図４に示す矢視Ａ−Ａ断面図である。なお、図３は第１の可変入賞装置２９および第２の可変入賞装置３１が遊技者に有利な開放状態の図であり、図４〜図６は第１の可変入賞装置２９および第２の可変入賞装置３１が遊技者に不利な閉鎖状態の図である。
【００１７】
図に示すように、入賞装置ユニット３２は、遊技盤１４に取り付けるための取付基板３５を有し、この取付基板３５に特別図柄始動入賞口２７、第１の可変入賞装置２９、第２の可変入賞装置３１等がそれぞれ設けられている。まず、前記取付基板３５の上部には特別図柄始動入賞口２７が形成してあり、この特別図柄始動入賞口２７は、上向きに遊技球が入賞する入口となる開口部３６を開口すると共に、その下方に樋状の入賞球通路３７を有し、入賞球通路３７の下流端は入賞球排出孔３８に連通している。そして、特別図柄始動入賞口２７の中央よりも下部は、後述する小入賞口２８の小開口部４１内に突出している。また、前記入賞球通路３７には始動入賞検出スイッチ３９を臨ませてなる。なお、前記始動入賞検出スイッチ３９は、当該始動入賞検出スイッチ３９のケースの後端面に係止爪４０によって係止させている。そして、前記特別図柄始動入賞口２７の下方には第１の可変入賞装置２９である小入賞口２８を形成する横長な小開口部４１を設け、この小開口部４１には当該小開口部４１を塞ぐ小開閉板４２が下縁付近を横方向に開閉自在に軸着してある。また、前記小開閉板４２には、前記特別図柄始動入賞口２７が小開口部４１内に突出した部分に対応する凹部４３が設けられており、前記特別図柄始動入賞口２７が小開口部４１内に突出していても前記小開閉板４２が確実に小開口部４１を閉鎖できるようにしている。また、本実施例では、小入賞口２８内に突出するように特別図柄始動入賞口２７を設けているが、小入賞口２８内に組み込まれるように特別図柄始動入賞口２７を設けても良い。
【００１８】
前記小入賞口２８は、遊技者に不利な閉鎖状態と遊技者に有利な開放状態に変換可能なように小開閉板４２および駆動源としての小開閉板駆動部４４を備える。前記小開閉板４２は、下縁付近に設けた支軸４５によって前回りに回動可能に支持され、両縁側には右側板４６を延設すると共に、一方の側縁には係合部４７を設ける。小開口部４１の後方には、入賞球通路４８を形成した小入賞口裏カバー４９を設けると共に、中枠５０及び外枠５１を設けて小入賞口用球寄せ室５２を形成する。小入賞口用球寄せ室５２は入賞球排出孔５３に連通しており、その間に小入賞口用入賞検出スイッチ５４を臨ませてなる。なお、前記小入賞口用入賞検出スイッチ５４は、当該小入賞口用入賞検出スイッチ５４のケースの後端面に係止爪５５によって係止させている。
【００１９】
前記小入賞口２８の下方には第２の可変入賞装置３１である大入賞口３０を形成する横長な大開口部５６を設け、この大開口部５６には当該大開口部５６を塞ぐ大開閉板５７が下縁付近を横方向に開閉自在に軸着してある。前記大入賞口３０は、遊技者に不利な閉鎖状態と遊技者に有利な開放状態に変換可能なように大開閉板５７および駆動源としての大開閉板駆動部５８を備える。前記大開閉板５７は、下縁付近に設けた支軸５９によって前回りに回動可能に支持され、両縁側には左側板６０を延設すると共に、一方の側縁には係合部６１を設ける。大開口部５６の後方には、中枠５０および仕切板６２により入賞球通路６３を形成すると共に、入賞球通路６３の下流端は入賞球流入孔６４に連通し、入賞球流入孔６４は入賞球排出孔６５に連通している。そして、入賞球流入孔６４と入賞球排出孔６５の間に大入賞口用入賞検出スイッチ６６を臨ませてなる。なお、前記大入賞口用入賞検出スイッチ６６は、当該大入賞口用入賞検出スイッチ６６のケースの後端面に係止爪６７によって係止させている。
【００２０】
入賞装置ユニット３２の左右両側には、普通入賞口６８、６８が形成されており、この普通入賞口６８、６８は上向きに遊技球が入賞する入口となる開口部６９、６９が開口すると共に、その下方に樋状の入賞球通路７０、７０を有し、入賞球通路７０、７０の下流端は入賞球排出孔７１、７１に連通している。
また、入賞装置ユニット３２の裏面には、裏カバー７２がビスにより取り付けられており、その右側には小開閉板駆動部４４、大開閉板駆動部５８、装飾用ランプ（図示せず）等に電源を供給するためのコネクタ取付部である中継基板７３が取り付けられている。
次に、図７、図８にしたがって、第１の可変入賞装置２９である小入賞口２８の小開閉板４２の開閉動作について説明をする。図７は、入賞装置ユニット３２の正面斜視図であり、図８は、図７に示す矢視Ｂ−Ｂ断面図で、（ａ）は小入賞口２８が閉鎖状態、（ｂ）は小入賞口２８が開放状態の図である。
図に示すように、入賞装置ユニット３２の裏面には、小開閉板４２を開閉作動させるための駆動源となる小開閉板駆動部４４が取付基板３５にネジ等により取り付けられている。この小開閉板駆動部４４は、ソレノイド７４、プランジャー７５、スプリング７６から構成されており、スプリング７６を挿入したプランジャー７５をソレノイド７４に挿通して設ける。また、このソレノイド７４は公知の技術であり、電気信号を送出すると吸引力を発生するタイプのものである。
【００２１】
そして、小開閉板４２の右側板４６には係合部４７が設けられており、この係合部４７には操作レバー７７の突出部７８の先端が係合している。また、操作レバー７７の下部先端には切欠き部７９を設けており、この切欠き部７９を円板状に形成されたプランジャー７５の先端部に挿入することにより、プランジャー７５と操作レバー７７を連結している。即ち、この操作レバー７７はプランジャー７５の上下の動きを小開閉板４２に伝達する作用を行なうものである。
【００２２】
小開閉板４２が閉鎖状態では（ａ）に示すように、スプリング７６の付勢力によりプランジャー７５は下方に押し下げられており、これにより操作レバー７７も下方に押し下げられている。したがって、操作レバー７７の突出部７８が小開閉板４２の係合部４７の下方を押し下げることになり、小開閉板４２を垂直に立設した状態、即ち小入賞口２８を閉鎖状態に保持しており、この閉鎖状態では遊技球が小入賞口２８に入賞することはない。
【００２３】
前記閉鎖状態から所定の条件を満足すると、ソレノイド７４に電気信号が送出される。すると（ｂ）に示すように、ソレノイド７４が励磁されることによりプランジャー７５がスプリング７６の付勢力に打ち勝って上方に吸引される。このため操作レバー７７も上方に動くことになる。したがって、操作レバー７７の突出部７８で小開閉板４２の係合部４７の上方を押し上げられることにより、小開閉板４２は、支軸４５を中心として前回りに傾動し、小入賞口２８を開放状態とする。そして、小入賞口２８の開放状態はソレノイド７４に通電している間継続され、この開放状態では遊技球は小入賞口２８に極めて入賞し易くなっている。
【００２４】
その後、予め定められた時間が経過すると、ソレノイド７４への通電が遮断される。これによりソレノイド７４の吸引力が無くなり、プランジャー７５がスプリング７６の付勢力により下方に押し戻される。したがって、操作レバー７７も下方に動き、操作レバー７７の突出部７８で小開閉板４２の係合部４７の下方を押し下げることにより、小開閉板４２は支軸４５を中心として後回りに回動し、小入賞口２８を閉鎖状態に戻すことができる。
【００２５】
次に、図９、図１０にしたがって、第２の可変入賞装置３１である大入賞口３０の大開閉板５７の開閉動作について説明をする。図９は、入賞装置ユニット３２の正面斜視図であり、図１０は、図９に示す矢視Ｃ−Ｃ断面図で、（ａ）は大入賞口３０が閉鎖状態、（ｂ）は大入賞口３０が開放状態の図である。図に示すように、入賞装置ユニット３２の裏面には、大開閉板５７を開閉作動させるための駆動源となる大開閉板駆動部５８が取付基板３５にネジ等により取り付けられている。この大開閉板駆動部５８は、ソレノイド８０、プランジャー８１、スプリング８２から構成されており、スプリング８２を挿入したプランジャー８１をソレノイド８０に挿通して設ける。また、このソレノイド８０は前記した小開閉板駆動部４４のソレノイド７４と同様、電気信号を送出すると吸引力を発生するタイプのものである。
【００２６】
そして、大開閉板５７の左側板６０には係合部６１が設けられており、この係合部６１には操作レバー８３の突出部８４が係合している。また、操作レバー８３の下部には切欠き部８５を設けており、この切欠き部８５を円板状に形成されたプランジャー８１の先端部に挿入することにより、プランジャー８１と操作レバー８３を連結している。即ち、この操作レバー８３はプランジャー８１の上下の動きを大開閉板５７に伝達する作用を行なうものである。
【００２７】
大開閉板５７が閉鎖状態では（ａ）に示すように、スプリング８２の付勢力によりプランジャー８１は下方に押し下げられており、これにより操作レバー８３も下方に押し下げられている。したがって、操作レバー８３の突出部８４が大開閉板５７の係合部６１の下方を押し下げることになり、大開閉板５７を垂直に立設した状態、即ち大入賞口３０を閉鎖状態に保持しており、この閉鎖状態では遊技球が大入賞口３０に入賞することはない。
【００２８】
前記閉鎖状態から所定の条件を満足すると、ソレノイド８０に電気信号が送出される。すると（ｂ）に示すように、ソレノイド８０が励磁されることによりプランジャー８１がスプリング８２の付勢力に打ち勝って上方に吸引される。このため操作レバー８３も上方に動くことになる。したがって、操作レバー８３の突出部８４で大開閉板５７の係合部６１の上方を押し上げることにより、大開閉板５７は、支軸５９を中心として前回りに傾動し、大入賞口３０を開放状態とする。そして、大入賞口３０の開放状態はソレノイド８０に通電している間継続され、この開放状態では遊技球は極めて大入賞口３０に入賞し易くなっている。
【００２９】
その後、所定の条件を満足すると、ソレノイド８０への通電が遮断される。これによりソレノイド８０の吸引力が無くなり、プランジャー８１がスプリング８２の付勢力により下方に押し戻される。したがって、操作レバー８３も下方に動き、操作レバー８３の突出部８４で大開閉板５７の係合部６１の下方を押し下げることにより、大開閉板５７は支軸５９を中心として後回りに回動し、大入賞口３０を閉鎖状態に戻すことができる。
【００３０】
次に、上記で説明した入賞装置ユニット３２を遊技盤１４に装着して遊技を行う場合の遊技内容について説明をする。図１１、図１２に示すように、入賞装置ユニット３２の周囲には、複数の誘導釘８６が突設されており、これらの誘導釘８６により、図１１の矢印に示すように遊技球８７を様々な方向に誘導すると共に、各入賞口への入賞率を調整することができる。この入賞率の調整は、誘導釘８６ａ〜８６ｄを調整することにより行うことができる。
【００３１】
通常の遊技状態では小入賞口２８および大入賞口３０は閉鎖状態であるので、遊技盤１４面を流下してきた遊技球８７は当該小入賞口２８および大入賞口３０に入賞することはない。しかしながら、特別図柄始動入賞口２７の上方に誘導された遊技球８７は、特別図柄始動入賞口２７の開口部３６から入球し、始動入賞口２７に入賞する可能性がある。特別図柄始動入賞口２７の開口部３６から入球した遊技球８７は、そのまま落下し、その下方に設けられる始動入賞球検出スイッチ３９の先端に開口している検出孔３９ａを通過する。この始動入賞球検出スイッチ３９の検出孔３９ａを遊技球８７が通過するときに、始動入賞検出スイッチ３９は信号レベルを変化させ、遊技球８７の入賞を検出し、遊技者に対して所定個数の賞球を払出す。そして、検出された遊技球８７は、そのまま入賞球通路３７を流下し、入賞球排出孔３８より機外に排出される。また、特別図柄始動入賞口２７は、前記した特別図柄表示装置２３に表示される特別図柄の変動を開始させる始動口となっており、始動入賞検出スイッチ３９が遊技球８７の入賞を検出すると、始動入賞検出スイッチ３９は、その信号をパチンコ機１０の諸動作を制御する制御基板に送出し、特別図柄表示装置２３の特別図柄の変動を開始させる。なお、パチンコ機１０の諸動作および制御基板の構成は公知の技術であるので図示および説明は省略する。また、この特別図柄始動入賞口２７への入賞率の調整は、誘導釘８６ｂ、８６ｃを調整することにより行うことができる。
【００３２】
続いて、遊技盤１４を流下してきた遊技球８７が、前記した図柄表示ユニット２２に設けられる普通図柄始動ゲート２５を通過することにより、普通図柄表示装置２４の普通図柄が変動を開始し、この普通図柄が予め定められた図柄例えば、「１」、「３」、「５」、「７」、「９」の数字で停止表示され、「当り状態」となると、図１３、図１４に示すように小入賞口２８の小開閉板４２が前記したような作動により傾動し、小入賞口２８が所定時間開放状態となる。小入賞口２８が開放状態となると、遊技盤１４を流下してきた遊技球８７は、小入賞口２８に極めて入賞し易い状態となる。即ち、誘導釘８６により小入賞口２８の上方に誘導されてきた遊技球８７は、小開閉板２８の背面に当り小開口部４１内に誘導される。そして、小開口部４１内に導入された遊技球８７は入賞球通路４８を通って、小入賞口用球寄せ室５２に入り、その下方に設けられる小入賞口用入賞検出スイッチ５４の先端部の検出孔５４ａを通過する。この小入賞口用入賞検出スイッチ５４の検出孔５４ａを遊技球８７が通過するときに、小入賞口用入賞検出スイッチ５４は信号レベルを変化させ、遊技球８７の入賞を検出し、遊技者に所定個数の賞球を払出す。そして、検出された遊技球８７は入賞球排出孔５３から機外に排出される。また、小入賞口２８は、特別図柄表示装置２３の特別図柄の変動を開始させる始動口となっており、小入賞口用入賞検出スイッチ５４が遊技球８７の入賞を検出すると、小入賞口用入賞検出スイッチ５４は、その信号をパチンコ機１０の諸動作を制御する制御基板に送出し、特別図柄の変動を開始させる。そして、このように遊技球８７は、小入賞口２８に入賞することができると共に、小入賞口２８の直上の誘導釘８６ａ〜８６ｄを調整することにより、小入賞口２８への入賞率を正確に調整することが可能である。
【００３３】
続いて、遊技盤１４を流下してきた遊技球８７が、前記したように特別図柄始動入賞口２７あるいは小入賞口２８に入賞することにより、特別図柄表示装置２３の特別図柄が変動を開始し、この特別図柄が予め定められた図柄の組合せ例えば、「３３３」、「７７７」等の３桁の同数字が表示され、「大当り状態」となると、図１５、図１６に示すように大入賞口３０の大開閉板５７が前記したような作動により傾動し、大入賞口３０が所定時間経過するまでの間あるいは所定個数の遊技球が入賞するまでの間開放状態となる。大入賞口３０が開放状態となると、遊技盤１４を流下してきた遊技球８７は、大入賞口３０に極めて入賞し易い状態となる。即ち、誘導釘８６により大入賞口３０の上方に誘導されてきた遊技球８７は、大開閉板５７の背面に当り大開口部５６内に誘導される。そして、大開口部５６内に導入された遊技球８７は入賞球通路６３を通って、入賞球流入孔６４に流入し、その下方に設けられる大入賞口用入賞検出スイッチ６６の先端部の検出孔６６ａを通過する。この大入賞口用入賞検出スイッチ６６の検出孔６６ａを遊技球８７が通過するときに、大入賞口用入賞検出スイッチ６６は信号レベルを変化させ、遊技球８７の入賞を検出し、遊技者に所定個数の賞球を払出す。
【００３４】
また、この大入賞口用入賞検出スイッチ６６は大入賞口３０に入賞した入賞数をカウントするカウントスイッチでもあり、このパチンコ機１０の場合は大入賞口３０へ遊技球が１０個入賞すると大入賞口３０の大開閉板５７が一旦は閉鎖されるが再度開放され、この１０個の遊技球の入賞を１ラウンドとして、このラウンドを１６回繰り返すように制御基板により制御されるよう構成されている。そして、検出された遊技球８７は入賞球排出孔６５から機外に排出される。
【００３５】
続いて、パチンコ機１０が「大当り」状態のとき、即ち大入賞口３０が開放状態のときに普通図柄表示装置２４の普通図柄が「当り」となり、小入賞口２８も開放状態となると、図１７、図１８に示すように、小入賞口２８の小開閉板４２も大入賞口３０の大開閉板５７も傾動することにより、小入賞口２８も大入賞口３０も遊技球８７が極めて入賞し易い開放状態となる。このような状態では、小入賞口２８の小開閉板４２の幅の間に流下してきた遊技球８７は、小開閉板４２の背面に当り小開口部４１内に誘導され、小入賞口２８内に入賞する。また、大入賞口３０には、大開閉板５７の幅から小開閉板４２の幅を除いた部分が大入賞口３０に入賞することができる有効領域であり、この大開閉板５７の有効領域内に流下してきた遊技球８７は、大開閉板５７の背面に当り大開口部５６内に誘導され、大入賞口３０に入賞することができる。
【００３６】
したがって、本発明の入賞装置ユニット３２は小入賞口２８および大入賞口３０がどちらも開放状態に変換されることがあっても、小入賞口２８および大入賞口３０のどちらにも遊技球８７が入賞することができるという優れたものである。
【００３７】
【発明の効果】
以上説明したように、請求項１記載の弾球遊技機の入賞装置によれば、取付基板に大入賞口と、該大入賞口の上方に前記大入賞口より狭い小入賞口と、小入賞口の近傍に遊技球の入球により第１の図柄表示装置の図柄を変動させる始動口とを並設するようにしたので、大入賞口が開放状態のときに小入賞口が開放状態となっても、小入賞口に遊技球を入賞させることができるので、遊技者が賞球の獲得のチャンスを逃してしまうというような不利益を被るということがない。しかも、小入賞口の直上には誘導釘を突設することができるので入賞率を正確に調整することができるという優れた効果もある。さらに、小入賞口の近傍には従来は個別に遊技盤に配設されていた第１の図柄表示装置の図柄を始動させる始動口を設けているので、遊技盤のスペースを節約することができると共に、より大型化した図柄表示装置を採用することができるという優れた効果を発揮する。
【００３８】
加えて、請求項２記載の弾球遊技機の入賞装置によれば、請求項１記載の弾球遊技機の入賞装置において、前記始動口の所定部分は、前記小入賞口内に突出するように設けているので、入賞装置ユニットの高さを大きくすることなく、始動口を入賞装置ユニット内に設けることができる。したがって、遊技盤のスペースを節約することができるという効果を発揮するものである。
【００３９】
加えて、請求項２記載の弾球遊技機の入賞装置によれば、請求項１記載の弾球遊技機の入賞装置において、前記小入賞口の開閉部材には、前記始動口の突出した所定部分に対応する凹部を設けているので、前記始動口の突出した所定部分により、小入賞口が閉鎖されないということを防止することができるという効果を発揮するものである。
【図面の簡単な説明】
【図１】実施例のパチンコ機の正面斜視図である。
【図２】実施例の遊技盤の正面図である。
【図３】実施例の入賞装置ユニットの正面斜視図である。
【図４】実施例の入賞装置ユニットの正面図である。
【図５】実施例の入賞装置ユニットの裏面図である。
【図６】実施例の図５における矢視Ａ−Ａ断面図である。
【図７】実施例の入賞装置ユニットの正面斜視図であり、一部分解図である。
【図８】実施例の図７における矢視Ｂ−Ｂ断面図である。
【図９】実施例の入賞装置ユニットの正面斜視図であり、一部分解図である。
【図１０】実施例の図９における矢視Ｃ−Ｃ断面図である。
【図１１】実施例の入賞装置ユニットを遊技盤に装着した状態の正面図で、遊技球の流下経路を示した図である。
【図１２】実施例の入賞装置ユニットを遊技盤に装着した状態の断面図で、特別図柄始動入賞口への遊技球の入賞経路を示した図である。
【図１３】実施例の入賞装置ユニットを遊技盤に装着した状態の正面図で、遊技球の流下経路を示した図であり、小入賞口は開放状態である。
【図１４】実施例の入賞装置ユニットを遊技盤に装着した状態の断面図で、小入賞口への遊技球の入賞経路を示した図である。
【図１５】実施例の入賞装置ユニットを遊技盤に装着した状態の正面図で、遊技球の流下経路を示した図であり、大入賞口は開放状態である。
【図１６】実施例の入賞装置ユニットを遊技盤に装着した状態の断面図で、大入賞口への遊技球の入賞経路を示した図である。
【図１７】実施例の入賞装置ユニットを遊技盤に装着した状態の正面図で、遊技球の流下経路を示した図であり、小入賞口および大入賞口が開放状態の図である。
【図１８】実施例の入賞装置ユニットを遊技盤に装着した状態の断面図で、小入賞口および大入賞口の入賞経路を示した図である。
【符号の説明】
１０…パチンコ機、１１…外枠、１２…ヒンジ機構、１３…内枠、１４…遊技盤、１５…金枠、１６…上皿、１６ａ…流出口、１６ｂ…上皿球抜きレバー、１７…下皿、１７ａ…流出口、１７ｂ…下皿球抜きレバー、１８…発射レバー、１９…発射ハンドル、２０…ガイドレール、２１…遊技領域、２２…図柄表示装置ユニット、２３…特別図柄表示装置、２４…普通図柄表示装置、２５…普通図柄始動ゲート、２６…開口部、２７…特別図柄始動入賞口、２８…小入賞口、２９…第１の可変入賞装置、３０…大入賞口、３１…第２の可変入賞装置、３２…入賞装置ユニット、３３…一般入賞口、３４…アウト口、３５…取付基板、３６…開口部、３７…入賞球通路、３８…入賞球排出孔、３９…始動入賞検出スイッチ、３９ａ…検出孔、４０…係止爪、４１…小開口部、４２…小開閉板、４３…凹部、４４…小開閉板駆動部、４５…支軸、４６…右側板、４７…係合部、４８…入賞球通路、４９…小入賞口裏カバー、５０…中枠、５１…外枠、５２…小入賞口用球寄せ室、５３…入賞球排出孔、５４…小入賞口用入賞検出スイッチ、５４ａ…検出孔、５５…係合部、５６…大開口部、５７…大開閉板、５８…大開閉板駆動部、５９…支軸、６０…左側板、６１…係合部、６２…仕切板、６３…入賞球通路、６４…入賞球流入孔、６５…入賞球排出孔、６６…大入賞口用入賞検出スイッチ、６６ａ…検出孔、６７…係止爪、６８…普通入賞口、６９…開口部、７０…入賞球通路、７１…入賞球排出孔、７２…裏カバー、７３…中継基板、７４…ソレノイド、７５…プランジャー、７６…スプリング、７７…操作レバー、７８…突出部、７９…切欠き部、８０…ソレノイド、８１…プランジャー、８２…スプリング、８３…操作レバー、８４…突出部、８５…切欠き部、８６…誘導釘、８７…遊技球
【図１】
2004041738.tif 000003
【図２】
2004041738.tif 000004
【図３】
2004041738.tif 000005
【図４】
2004041738.tif 000006
【図５】
2004041738.tif 000007
【図６】
2004041738.tif 000008
【図７】
2004041738.tif 000009
【図８】
2004041738.tif 000010
【図９】
2004041738.tif 000011
【図１０】
2004041738.tif 000012
【図１１】
2004041738.tif 000013
【図１２】
2004041738.tif 000014
【図１３】
2004041738.tif 000015
【図１４】
2004041738.tif 000016
【図１５】
2004041738.tif 000017
【図１６】
2004041738.tif 000018
【図１７】
2004041738.tif 000019
【図１８】
2004041738.tif 000020